(57)【要約】  本発明は、ＩＰテレビジョンネットワーク上で、所与の情報のタイプについて、カスタマイズされた情報を放送するための方法に関し、前記方法は以下を含む：所与の情報のタイプについて、少なくとも１つのＩＰテレビジョンネットワーク端末のユーザ設定を記憶すること、少なくとも前記ＩＰテレビジョンネットワーク端末用の、カスタマイズされた情報データを作成すること、マルチポイントネットワーク接続（マルチキャスト）モードで放送されるデータのストリームの中に、ポイントツーポイント（ユニキャスト）モードで放送されるカスタマイズされた情報データを挿入すること。【特許請求の範囲】
【請求項１】
テレビジョンオーバＩＰネットワーク内で、特定された情報のタイプについて、個人化された情報を放送するための方法であって、
特定された情報のタイプについて、テレビジョンオーバＩＰネットワークの少なくとも１つの端末から、ユーザ設定を保存すること、
テレビジョンオーバＩＰネットワークの少なくともその端末用の、個人化された情報データを作成すること、
マルチポイントネットワーク接続（マルチキャスト）上で放送されるデータのストリーム内に、ピアツーピアモード（ユニキャスト）で放送される個人化された情報データを挿入すること
を含む、方法。
【請求項２】
特定された情報のタイプについて、個人化された情報データが、その放送の時間の長さが個人化されていない情報データの放送の時間の長さにおおむね等しいことを確実にしながら作成されることを特徴とする、請求項１に記載の方法。
【請求項３】
ユーザ設定を保存することが、一組の所定のプロファイルの中から好みのプロファイルを選択した後に行われることを特徴とする、請求項１または２に記載の方法。
【請求項４】
ユーザ設定を保存することが、サービスプロバイダのウェブサイト上でプロファイルを選択または定義した後に行われることを特徴とする、請求項１から３のいずれか一項に記載の方法。
【請求項５】
テレビジョンオーバＩＰネットワーク内で、事前に特定された情報のタイプについて、個人化された情報を放送するためのデバイスであって、
特定された情報のタイプについて、テレビジョンオーバＩＰネットワークの少なくとも１つの端末から、ユーザ設定を保存する手段、
テレビジョンオーバＩＰネットワークの少なくともその端末用の、個人化された情報データを作成する手段、
マルチポイントネットワーク接続（マルチキャスト）上で放送されるデータのストリーム内に、ピアツーピアモード（ユニキャスト）で放送される個人化された情報データを挿入する手段
を含む、デバイス。
【請求項６】
一組の所定のプロファイルの中から好みのプロファイルを選択する手段を含むことを特徴とする、請求項５に記載のデバイス。
【請求項７】
サービスプロバイダのウェブサイト上でプロファイルを選択する、または定義する手段を含むことを特徴とする、請求項５に記載のデバイス。
【発明の詳細な説明】
【技術分野】
【０００１】
本発明は、ＩＰＴＶとして知られる、テレビジョンオーバＩＰの技術分野に関する。
【背景技術】
【０００２】
テレビジョンオーバＩＰの実装は、テレビ放送ネットワークに加えてネットワークを通じて利用可能なサービスによって、従来のテレビコンテンツを拡張することを可能にする。この追加のネットワークは、たとえばインターネットサービスプロバイダのネットワークであってよい。サービスは、たとえばリソースを提供することに相当し、それらは番組ガイドの追加ページ、番組予告、または放映されている映画についてのテキストデータであってよい。
【０００３】
文献、Ｍａｔｔｈｉａｓら、「Ａ  ｒｅｆｅｒｅｎｃｅ  ａｒｃｈｉｔｅｃｔｕｒｅ  ｓｕｐｐｏｒｔｉｎｇ  ｈｙｐｅｒｖｉｄｅｏ  ｃｏｎｔｅｎｔ  ｆｏｒ  ＩＴＶ  ａｎｄ  ｔｈｅ  ｉｎｔｅｒｎｅｔ  ｄｏｍａｉｎ」、Ｃｏｍｐｕｔｅｒｓ  ＆  Ｇｒａｐｈｉｃｓ  ２８、２００４、１７９−１９１頁には、ＩＰＴＶのためのハイパービデオアプリケーションの実装が説明されている。
【０００４】
本出願人は、２つの双方向テレビジョンオーバＩＰのアプリケーションを開発した：ＡｍｉｇｏＴＶ、およびＭｙＯｗｎＴＶ。
【０００５】
ＡｍｉｇｏＴＶと称される双方向テレビ技術は、ユーザがコミュニティ内で意見および感想を共有することを可能にする。何人かの友人が同じＴＶ番組を見るとき、ＡｍｉｇｏＴＶによって、彼らは彼ら自身の間で、その番組に関してライブでコメントすることができ、彼らの声はインターネットを通じて伝わる。この方法では、６人が同時にやり取りすることができる。誰がＴＶを点けているか、および、彼らがどのチャンネルを見ているかを知るためには、ユーザは単にリモートコントロールを用いてメニューを参照し、メニューには、画像に重ね合わされるアバタにより示されるコミュニティのメンバの存在と共に、すべてのそのような情報がリアルタイムで表示される。ＡｍｉｇｏＴＶはまた、カタログの中から選択された画像および音声を送信して、ＴＶを通じて放送されるイベントに対するその人の気分を示すことを可能にする。
【０００６】
ＭｙＯｗｎＴＶは、もう１つのユーザに焦点を合わせたトリプルプレイの提供であり、これは、ユーザが限定されたグループ内でマルチメディアコンテンツ（写真、ビデオ）を共有することを可能にし、将来においては、バーチャルコミュニティ内での対話を可能にする、統合されたビデオフォンサービスが意図されている。マルチメディアコンテンツは、テレビ／復号器セットを用いて、コミュニティのメンバによって見られる。このソリューションでは、リアルタイム相互作用は存在せず、移動環境は考慮されない。データの保護は、認証によって保証される。
【０００７】
テレビジョンオーバＩＰの開発には、ユーザの期待の適正な理解が必要になる。その効果に対しては、いくつかの研究が実施されている（たとえば、Ｓｈｉｎ、「Ｐｏｔｅｎｔｉａｌ  ｕｓｅｒ  ｆａｃｔｏｒｓ  ｄｒｉｖｉｎｇ  ａｄｏｐｔｉｏｎ  ｏｆ  ＩＰＴＶ．  Ｗｈａｔ  ａｒｅ  ｃｕｓｔｏｍｅｒｓ  ｅｘｐｅｃｔｉｎｇ  ｆｒｏｍ  ＯＰＴＶ」、Ｔｅｃｈｎｏｌｏｇｉｃａｌ  Ｆｏｒｅｃａｓｔｉｎｇ  ＆  Ｓｏｃｉａｌ  Ｃｈａｎｇｅ  ７４、２００７、１４４６−１４６４頁を参照されたい）。
【０００８】
ＩＰＴＶによって放送（ｂｒｏａｄｃａｓｔ）されるコンテンツの個人化は、考慮するべき重要な要素の１つであると思われる。
【０００９】
この個人化は、広告メッセージの放送に関して開発されている。たとえば、本出願人のＥＰ１８２６９８１を参照することができる。
【００１０】
やはり本出願人の名義で出願されたＷＯ２００７／１２０３３２は、個人化された広告メッセージを放送するためのデバイスおよび方法を説明しており、この個人化はジオマーケティング情報に基づいている。個人化はまた、視聴状況に応じて行われることもできる。たとえば、食品に関する広告メッセージが、家庭の台所にあるテレビ受像機に対して放送されることになり、新しいアニメーション漫画についての広告が、子供部屋にあるテレビ受像機に対して放送されることになる（ミクロレベルの状況アウェアネス）。
【先行技術文献】
【特許文献】
【００１１】
【特許文献１】欧州特許出願公開第１８２６９８１号明細書
【特許文献２】国際公開第２００７／１２０３３２号パンフレット
【非特許文献】
【００１２】
【非特許文献１】Ｍａｔｔｈｉａｓ他、「Ａ  ｒｅｆｅｒｅｎｃｅ  ａｒｃｈｉｔｅｃｔｕｒｅ  ｓｕｐｐｏｒｔｉｎｇ  ｈｙｐｅｒｖｉｄｅｏ  ｃｏｎｔｅｎｔ  ｆｏｒ  ＩＴＶ  ａｎｄ  ｔｈｅ  ｉｎｔｅｒｎｅｔ  ｄｏｍａｉｎ」、Ｃｏｍｐｕｔｅｒｓ  ＆  Ｇｒａｐｈｉｃｓ  ２８、２００４、１７９−１９１頁
【非特許文献２】Ｓｈｉｎ、「Ｐｏｔｅｎｔｉａｌ  ｕｓｅｒ  ｆａｃｔｏｒｓ  ｄｒｉｖｉｎｇ  ａｄｏｐｔｉｏｎ  ｏｆ  ＩＰＴＶ．Ｗｈａｔ  ａｒｅ  ｃｕｓｔｏｍｅｒｓ  ｅｘｐｅｃｔｉｎｇ  ｆｒｏｍ  ＯＰＴＶ」、Ｔｅｃｈｎｏｌｏｇｉｃａｌ  Ｆｏｒｅｃａｓｔｉｎｇ  ＆  Ｓｏｃｉａｌ  Ｃｈａｎｇｅ  ７４、２００７、１４４６−１４６４頁
【発明の概要】
【発明が解決しようとする課題】
【００１３】
本発明は、テレビジョンオーバＩＰ番組の個人化を可能にする方法およびデバイスを開示することを意図し、この個人化は、利用しやすいやり方において実装される。
【課題を解決するための手段】
【００１４】
これらの目的を達成するために、本発明は、第１の態様によれば、テレビジョンオーバＩＰネットワーク内で、特定された情報のタイプについて、個人化された情報を放送するための方法に関し、本方法は以下を含む：
−  特定された情報のタイプについて、テレビジョンオーバＩＰネットワークの少なくとも１つの端末から、ユーザ設定を保存すること、
−  テレビジョンオーバＩＰネットワークの少なくともその端末用の、個人化された情報データを作成すること、
−  作成された個人化された情報データが放送される時間の長さ（ｄｕｒａｔｉｏｎ）が、個人化されていない情報データが放送される時間の長さとおおむね等しいことを検証すること、
−  マルチポイントネットワーク接続（マルチキャスト）上で放送されるデータのストリーム内に、ピアツーピアモード（ユニキャスト）で放送される個人化された情報データを挿入すること。
【００１５】
有利には、特定された情報のタイプについて、個人化された情報データが、その放送の時間の長さが個人化されていない情報データの放送の時間の長さとおおむね等しいことを確実にしながら、作成される。したがって、ユーザは、データのストリームにおいて中断に気づくことがない。個人化は目立たない。
【００１６】
有利には、ユーザ設定を保存することが、一組の所定のプロファイルの中から好みのプロファイルを選択した後に実行される。
【００１７】
有利には、ユーザ設定を保存することが、サービスプロバイダのウェブサイト上でプロファイルを選択または定義した後に実行される。このプロファイルの選択または定義は、固定された、または移動式の通信端末の支援により実行されてよい。
【００１８】
本発明は、第２の態様によれば、テレビジョンオーバＩＰネットワーク内で、特定された情報のタイプについて、個人化された情報を放送するためのデバイスに関し、本デバイスは以下を含む：
−  特定された情報のタイプについて、テレビジョンオーバＩＰネットワークの少なくとも１つの端末から、ユーザ設定を保存する手段、
−  テレビジョンオーバＩＰネットワークの少なくともその端末用の、個人化された情報データを作成する手段、
マルチポイントネットワーク接続（マルチキャスト）上で放送されるデータのストリーム内に、ピアツーピアモード（ユニキャスト）で放送される個人化された情報データを挿入する手段。
【００１９】
有利には、デバイスは、一組の所定のプロファイルの中から好みのプロファイルを選択する手段を含む。
【００２０】
有利には、デバイスは、サービスプロバイダのウェブサイト上でプロファイルを選択する、または定義する手段を含む。
【００２１】
本発明の他の目的および効果は、現在のところ好ましい実施形態である以下の説明を読むことによって、明らかになるであろう。
【発明を実施するための形態】
【００２２】
本説明の以下の部分では、個人化された情報は、単純な特定されたタイプである：天気予報。
【００２３】
しかしながら、情報のタイプは、天気予報とは異なってもよいことが理解される。
【００２４】
以下の例では、本発明の方法およびデバイスのための、多種多様な可能である応用例を示す。
【００２５】
可能である応用例の第１のシリーズでは、何人かのユーザが、マルチキャストモードで放送される第１の所与のタイプの情報ストリームを、別のタイプの情報ストリームに置き換えることを所望する。たとえば、暴力的な映画の放送が、ペアレンタルコントロールを可能にする一般視聴者向けの映画の放送に置き換えられることができる。既に見終わった番組の放送は、別の番組の放送に置き換えられることができる。特に、ＩＰＴＶ端末のユーザは、マルチキャストモードで放送される所与の監督による映画の代わりに、その監督による別の映画をユニキャストモードで見るかどうかを決めることができることになる。
【００２６】
可能である応用例の第２のシリーズでは、何人かのユーザが、情報ストリームを自分たちの関心のある分野に調整することを所望する。
【００２７】
これらの関心のある分野は、一連の番組を別の一連の番組に置き換えるように、ユーザを導くことができる。たとえば、スポーツ結果は、株式相場に置き換えられることになる。
【００２８】
これらの関心のある分野は、所与の情報について、あるカメラ視点の方が別のカメラ視点よりも好ましいように、ユーザを導くことができる。たとえば、国際的なイベントについて、ユーザは、ベルギーテレビからの報道に代えて、ドイツテレビからの報道を受信することを決めることができる。スポーツイベントの再放送の間に、ユーザは、すべての人向けの再放送ではなく、競技場での画像ショット（レーシングカーの内側など）のみを受信することができることになる。
【００２９】
これらの関心のある分野は、固定された、または移動式のＩＰＴＶ端末のユーザが居合わせている状況に関連することができる。たとえば、ユーザが帰宅した際、交通渋滞についての情報は、そのユーザにとって、もはや関心事でない可能性があり、この情報が、たとえば、翌日の天気予報に置き換えられる。
【００３０】
情報は、情報シーケンス（音楽ビデオ、映画、ＴＶ映画、ニュース番組）の時間の長さの相対的な標準化の恩恵を受けて、個人化された番組の構成を容易にする。
【００３１】
したがって、たとえば、天気予報について、全国的な情報シーケンスの時間の長さが、地域または地方の情報シーケンスとおおむね同一である場合に、目立たない置換えが可能である。
【００３２】
特定された情報のタイプ（たとえば、天気予報）について、少なくとも１つのＩＰＴＶ端末のユーザは、まず自分の設定を保存する。
【００３３】
これらの設定に応じて、ブロードキャスタが、テレビジョンオーバＩＰネットワークの少なくともその端末用の、個人化された情報データを作成することになる。
【００３４】
この個人化されたデータは次いで、マルチポイントネットワーク接続（マルチキャスト）上で放送されるデータのストリーム内において、挿入され、ピアツーピア方法（ユニキャスト）で放送されることになる。
【００３５】
有利には、特定された情報のタイプについて、個人化された情報データが、その放送の時間の長さが個人化されていない情報データの放送の時間の長さとおおむね等しいことを確実にしながら、作成される。したがって、ユーザは、データのストリームにおいて中断に気づくことがない。個人化は目立たない。
【００３６】
一実施形態では、ユーザ設定を保存することが、一組の所定のプロファイルの中から好みのプロファイルを選択した後に行われる。
【００３７】
特定の一実施形態では、ユーザ設定を保存することが、サービスプロバイダのウェブサイト上でプロファイルを選択または定義した後に行われる。このプロファイルの選択または定義は、固定された、または移動式の通信端末の支援により実行されてよい。
【国際調査報告】
2011507441.tif 000002
2011507441.tif 000003
2011507441.tif 000004
2011507441.tif 000005
2011507441.tif 000006
2011507441.tif 000007